(57)【特許請求の範囲】
【請求項１】
丸パイプからなる支柱に横ビームを取り付けるための防護柵用横ビーム取付金具において、
一端に前記支柱との当接面を有する管体を半割にした形状を有する上下対称の一対の横ビーム取付金具本体からなり、上部の前記横ビーム取付金具本体の上面には、横ビーム取付ボルトが挿通されるボルト孔が形成され、下部の前記横ビーム取付金具本体の下面には、前記横ビーム取付ボルトが挿通されるボルト孔が形成され、前記横ビーム取付金具本体の各々の前記当接面には、前記支柱に形成された開口に係合する突起が形成され、前記突起の間隔は、前記横ビームの前記横ビーム取付金具本体間への挟み込みにより広がり、前記突起の先端は、外方に向けて折れ曲がり、前記当接面は、前記横ビーム取付金具本体の一端を閉鎖するとともに、前記支柱の外周面と密着するように凹面状に形成されていることを特徴とする防護柵用横ビーム取付金具。
【発明の詳細な説明】
【技術分野】
【０００１】
この発明は、防護柵用横ビーム取付金具、特に、支柱への横ビームの取り付けが容易に行え、しかも、外観に優れた防護柵用横ビーム取付金具に関するものである。
【背景技術】
【０００２】
防護柵は、例えば、支柱と支柱間に取り付けられた横ビームとからなり、歩行者の路外転落や車道への立ち入りを防止する目的で設置される。
【０００３】
このような防護柵において、支柱に横ビームを取り付けるための防護柵用横ビーム取付金具の一例が特許文献１に開示されている。以下、この防護柵用横ビーム取付金具を従来取付金具Ａといい、図面を参照しながら説明する。
【０００４】
図６は、従来取付金具Ａによる支柱と横ビームとの取り付け部分を示す分解斜視図である。
【０００５】
図６に示すように、従来取付金具Ａは、両側下部に受け部２４が形成された受け金具２３と、両側上部に被せ部２６が形成された被せ金具２５とからなっている。
【０００６】
従来取付金具Ａにより支柱２１に横ビーム２２を取り付けるには、図６に示すように、まず、受け金具取付ボルト２７を支柱２１の背面側に形成されたボルト孔（図示せず）と、支柱２１の正面側に形成されたボルト孔２８と、支柱２１の正面側に当接した受け金具２３に形成されたボルト孔２９とに挿通し、ナット３０により受け金具２３を支柱２１に固定する。
【０００７】
次に、受け金具２３の受け部２４に横ビーム２２の端部を載置して、横ビーム２２を受け金具２３に仮置きする。
【０００８】
そして、被せ金具２５の被せ部２６を横ビーム２２の端部に被せると共に、被せ金具２５を支柱２１に当接し、横ビーム取付ボルト３１を被せ金具２５のボルト孔３２と、横ビーム２２の端部に形成されたボルト孔３３と、受け金具２３の端部に形成されたボルト孔３４とに挿通し、ナット３５により横ビーム２２を受け金具２３および被せ金具２５を介して支柱２１に取り付ける。この際、被せ金具２５に形成された貫通孔３６は、受け金具取付ボルト２７の頭部より大きく形成されているので、横ビーム２２を受け金具２３に仮置きした後、被せ金具２５を支柱２１に固定することができる。
【０００９】
支柱に横ビームを取り付けるための防護柵用横ビーム取付金具の別の例が特許文献２に開示されている。以下、この防護柵用横ビーム取付金具を従来取付金具Ｂといい、図面を参照しながら説明する。
【００１０】
図７は、従来取付金具Ｂを示す斜視図である。
【００１１】
図７に示すように、従来取付金具Ｂは、支柱３７との当接面３８が凹没して形成され、上面に横ビーム取付ボルトのボルト孔３９が形成されているものからなっている。
【００１２】
従来取付金具Ｂにより横ビーム４０を支柱３７に水平に取り付けるには、図８に示すように、従来取付金具Ｂを支柱３７に固定ボルト４１によって水平に固定する。
【００１３】
従来取付金具Ｂにより横ビーム４０を支柱３７に傾斜して取り付けるには、図９に示すように、従来取付金具Ｂを垂直面内において当接面３８にそって傾斜させ、固定ボルト４１によって固定する。
【００１４】
横ビーム４０を水平面内において角度をつけて取り付けるには、図１０に示すように、従来取付金具Ｂを水平面内において当接面３８に沿って回転させ、固定ボルト４１によって固定する。
【先行技術文献】
【特許文献】
【００１５】
【特許文献１】特開２００８−３１８２４号公報
【特許文献２】実開昭６２−１９６２２３号公報
【発明の概要】
【発明が解決しようとする課題】
【００１６】
上述した従来取付金具Ａによれば、受け金具２３に横ビーム２２を仮置きすることができるので、支柱２１への横ビーム２２の取り付けが容易に行えるが、受け金具取付ボルト２７が不可欠であるので、外観が悪いと共に、材料費がかかる。
【００１７】
上述した従来取付金具Ｂによれば、固定ボルト４１が露出しないので、外観は、優れているが、固定ボルト４１が不可欠であるので、材料費がかかる。しかも、固定ボルト４１の締結作業がやりづらいので、支柱３７への横ビーム４０の取り付けに時間を要する。
【００１８】
従って、この発明の目的は、横ビームの仮置きができるので、支柱への横ビームの取り付けが容易に行え、しかも、支柱に横ビーム取付金具を固定する横ビーム取付金具用固定ボルトが不要であるので、この点からも支柱への横ビームの取り付けが容易に行えると共に、外観に優れ、さらに、コスト低減を図ることができる防護柵用横ビーム取付金具を提供することにある。
【課題を解決するための手段】
【００１９】
この発明は、上記目的を達成するためになされたものであって、下記を特徴とする。
【００２０】
請求項１に記載の発明は、丸パイプからなる支柱に横ビームを取り付けるための防護柵用横ビーム取付金具において、一端に前記支柱との当接面を有する管体を半割にした形状を有する上下対称の一対の横ビーム取付金具本体からなり、上部の前記横ビーム取付金具本体の上面には、横ビーム取付ボルトが挿通されるボルト孔が形成され、下部の前記横ビーム取付金具本体の下面には、前記横ビーム取付ボルトが挿通されるボルト孔が形成され、前記横ビーム取付金具本体の各々の前記当接面には、前記支柱に形成された開口に係合する突起が形成され、前記突起の間隔は、前記横ビームの前記横ビーム取付金具本体間への挟み込みにより広がり、前記突起の先端は、外方に向けて折れ曲がり、前記当接面は、前記横ビーム取付金具本体の一端を閉鎖するとともに、前記支柱の外周面と密着するように凹面状に形成されていることに特徴を有するものである。
【発明の効果】
【００２４】
この発明によれば、横ビーム取付金具本体の支柱との当接面に突起を設け、この突起を支柱に形成された開口に係合させることによって、横ビームの仮置きができると共に、横ビーム取付金具用固定ボルトを使用することなく、支柱に横ビーム取付金具を取り付けることができる。この結果、支柱への横ビームの取り付けが容易に行えると共に、外観に優れ、しかも、コストの低減を図ることができる。
【図面の簡単な説明】
【００２５】
【図１】この発明の防護柵用横ビーム取付金具により支柱に横ビームを取り付けた状態を示す平面図である。
【図２】この発明の防護柵用横ビーム取付金具により支柱に横ビームを取り付けた状態を示す正面図である。
【図３】この発明の防護柵用横ビーム取付金具により支柱に横ビームを取り付けた状態を示す側面図である。
【図４】この発明の防護柵用横ビーム取付金具により支柱に横ビームを取り付けた状態を示す斜視図である。
【図５】この発明の防護柵用横ビーム取付金具による支柱への横ビームの取り付け方法を示す斜視図である。
【図６】従来取付金具Ａによる支柱と横ビームとの取り付け部分を示す分解斜視図である
【図７】従来取付金具Ｂを示す斜視図である。
【図８】従来取付金具Ｂにより横ビームを支柱に水平に取り付けた状態を示す正面図である。
【図９】従来取付金具Ｂにより横ビームを支柱に傾斜して取り付けた状態を示す正面図である。
【図１０】従来取付金具Ｂにより横ビームを水平面内において角度をつけて支柱に取り付けた状態を示す正面図である。
【発明を実施するための形態】
【００２６】
この発明の防護柵用横ビーム取付金具の一実施態様を、図面を参照しながら説明する。
【００２７】
図１は、この発明の防護柵用横ビーム取付金具により支柱に横ビームを取り付けた状態を示す平面図、図２は、この発明の防護柵用横ビーム取付金具により支柱に横ビームを取り付けた状態を示す正面図、図３は、この発明の防護柵用横ビーム取付金具により支柱に横ビームを取り付けた状態を示す側面図、図４は、この発明の防護柵用横ビーム取付金具により支柱に横ビームを取り付けた状態を示す斜視図である。
【００２８】
図１から図４に示すように、この発明の防護柵用横ビーム取付金具Ｃ（以下、単に、横ビーム取付金具Ｃという。）は、上下対称の一対の横ビーム取付金具本体１ａ、１ｂからなっている。横ビーム取付金具本体１ａ、１ｂは、一端に横ビーム３に取り付けられる丸パイプからなる支柱２との当接面４を有する管体を半割にした形状を有している。横ビーム３の外径は、横ビーム３を支柱２に仮止めされた横ビーム取付金具本体１ａ、１ｂ間に挟み込んだときに、横ビーム取付金具本体１ａ、１ｂ間の間隔（Ｌ）（図２、図３参照）が広がる寸法を有している。
【００２９】
当接面４は、横ビーム取付金具本体１ａ、１ｂの一端を閉鎖するように形成されているとともに、支柱２が丸パイプからなっているので、凹面状に形成されている。支柱２が角パイプからなる場合には、当接面４は、平面状とする。
【００３０】
上部の横ビーム取付金具本体１ａの上面には、横ビーム３を横ビーム取付金具本体１ａ、１ｂに取り付ける横ビーム取付ボルト５が挿通されるボルト孔６が形成され、下部の横ビーム取付金具本体１ｂの下面には、横ビーム取付ボルト５が挿通されるボルト孔７が形成されている。
【００３１】
上部の横ビーム取付金具本体１ａの当接面４には、支柱２に形成された開口８に係合する、先端が上方に折れ曲がった突起９ａが形成されている。下部の横ビーム取付金具本体１ｂの当接面４には、支柱２に形成された開口８に係合する、先端が下方に折れ曲がった突起９ｂが形成されている。また、突起９ａ、９ｂは、横ビーム取付金具本体１ａ、１ｂを互いに当接させた（合わせた）ときに、その先端の間隔が支柱２に形成された開口８よりも若干小さく（−１から−２ｍｍ）なるように形成されている。従って、突起９の先端が支柱２に形成された開口８に挿入されると、突起９ａ、９ｂの先端が開口８に係合するので、従来取付金具ＡおよびＢのように、これらを支柱に固定する固定ボルトが不要となる。
【００３２】
横ビーム取付金具Ｃにより、支柱２に横ビーム３を取り付けるには、以下のようにする。
【００３３】
図５（ａ）に示すように、先ず、下部の横ビーム取付金具本体１ｂの突起９ｂを支柱２に形成された開口８に挿入して、下部の横ビーム取付金具本体１ｂを支柱２に仮止めする。この際、当接面４が支柱２に当接することと、突起９ｂの先端が下方に折れ曲がっていることにより、突起９ｂは、開口８に係合して、下部の横ビーム取付金具本体１ｂは、支柱２から外れることはない。
【００３４】
次いで、図５（ｂ）に示すように、横ビーム３の端部を下部の横ビーム取付金具本体１ｂに仮置きする。このようにして、横ビーム３を仮置きしたら、同図に示すように、上部の横ビーム取付金具本体１ａの突起９ａを支柱２に形成された開口８に挿入する。そして、図５（ｃ）に示すように、横ビーム取付金具本体１ａ、１ｂ間に横ビーム３を挟み込む。この際、横ビーム３の外径は、横ビーム３を横ビーム取付金具本体１ａ、１ｂ間に挟み込んだときに、横ビーム取付金具本体１ａ、１ｂ間の間隔（Ｌ）が広がる寸法を有しているので、突起９ａ、９ｂの間隔（Ｌ）も略上下方向に広がり、突起９ａ、９ｂの折れ曲がった先端が支柱２の開口８にがたつくことなく係合する。この結果、横ビーム取付金具本体１ａ、１ｂは、支柱２に強固に固定される。
【００３５】
次いで、横ビーム取付ボルト５を横ビーム取付金具本体１ａ、１ｂのボルト孔６、７および横ビーム３のボルト孔１０に挿通してナット１１により固定する。
【００３６】
以上のようにして、横ビーム取付金具Ｃにより、支柱２に横ビーム３を取り付けることができる。
【００３７】
以上、説明したように、この発明によれば、横ビーム取付金具本体１ａ、１ｂを突起９ａ、９ｂのみを介して支柱２に取り付けることができ、しかも、横ビーム３を下部の横ビーム取付金具本体１ｂに仮置きすることができるので、支柱２への横ビーム３の取り付けが容易に行えると共に、横ビーム取付金具本体１ａ、１ｂを支柱２に固定する固定ボルトが不要となるので、外観に優れ、しかも、コストの低減を図ることができる。
【符号の説明】
【００３８】
１ａ、１ｂ：横ビーム取付金具
２：支柱
３：横ビーム
４：当接面
５：横ビーム取付ボルト
６：ボルト孔
７：ボルト孔
８：開口
９ａ、９ｂ：突起
１０：ボルト孔
１１：ナット
２１：支柱
２２：横ビーム
２３：受け金具
２４：受け部
２５：被せ金具
２６：被せ部
２７：受け金具取付ボルト
２８：ボルト孔
２９：ボルト孔
３０：ナット
３１：横ビーム取付ボルト
３２：ボルト孔
３３：ボルト孔
３４：ボルト孔
３５：ナット
３６：貫通孔
３７：支柱
３８：当接面
３９：ボルト孔
４０：横ビーム
４１：固定ボルト
【図１】
0006424046.tif 000002
【図２】
0006424046.tif 000003
【図３】
0006424046.tif 000004
【図４】
0006424046.tif 000005
【図５】
0006424046.tif 000006
【図６】
0006424046.tif 000007
【図７】
0006424046.tif 000008
【図８】
0006424046.tif 000009
【図９】
0006424046.tif 000010
【図１０】
0006424046.tif 000011